(57)【要約】【課題】  家屋の屋根に降り注いだ雨水を初期雨水と通常雨水に分流する初期雨水除去装置とそれを利用した雨水貯留システムの提供を図る。【解決手段】水平横方向に貫通孔を設けたソケット継手部材と取水口を上にしたエルボ継手とで形成される分流継手部材と、インクリーザ形状の異径継手部材とで組み合わされる初期雨水除去装置による構成と、家屋の屋根に降り注いだ雨水を有効利用する雨水貯留システムおいて、濾網を具備する受樋に連結される上竪樋と、排水溝に導かれる下竪樋との中開に前記初期雨水除去装置を設け、該初期雨水除去装置内の通常雨水経路と、パイプと継手で形成される貯留タンクとを集水配管にて連結し、さらに該貯留タンクの上方一端に設けられたオーバーフロー配管を前記初期雨水除去装置の取り付け位置より下方の下竪樋に連結した構成を採る。【選択図】図１
2009121217.tif 000002
【特許請求の範囲】
【請求項１】
分流継手部材と、異径継手部材と、で組み合わされる初期雨水除去装置であって、前記分流継手部材は、水平横方向に貫通孔を設けたソケット継手部材と、取水口を上にしたエルボ継手とで形成され、前記異径継手部材は、インクリーザ形状の大径フランジ部には複数の初期雨水排水孔による初期雨水経路が設けられ、小径部軸方向中心には貫通した通常雨水経路を有し、前記分流継手部材に前記異径継手部材の小径部取水口を上にして挿入することによって、初期雨水と通常雨水に分流することを特徴とする初期雨水除去装置。
【請求項２】
家屋の屋根に降り注いだ雨水を有効利用する雨水貯留システムにおいて、濾網を具備する受樋に連結される上竪樋と、排水溝に導かれる下竪樋との中間に前記初期雨水除去装置を設け、該初期雨水除去装置内の通常雨水経路と、パイプと継手で形成される貯留タンクとを集水配管にて連結し、さらに該貯留タンクの上方一端に設けられたオーバーフロー配管を前記初期雨水除去装置の取り付け位置より下方の下竪樋に連結したことを特徴とする雨水貯留システム。
【発明の詳細な説明】
【技術分野】
【０００１】  本発明は、家屋の屋根に降り注いだ雨水を初期雨水と通常雨水に分流する初期雨水除去装置とそれを利用した雨水貯留システムに関する。
【背景技術】
【０００２】  家屋の屋根に降り注いだ雨水を有効に回収し、再利用する雨水貯水システムは、砂塵や泥・ゴミなどを含んだ初期雨水を除去すると同時に、通常雨水ならびに大量雨水を効率良く、且つ無駄なく貯留タンクに貯留することを目的としている。【０００３】  上記の目的を達成するため、「雨水分流構造および雨水利用システム」（特許文献１参照）や「竪樋用継手」（特許文献２参照）等が従来より提案されている。係るこれらの技術は、貯留タンクの取水口が竪樋に対して水平横方向に設けられる構造であるため、初期雨水や少なめの通常雨水を処理する場合は問題ないが、初期雨水除去装置内に設けられる仕切り板や滞留壁等の堰き止め障害により、通常雨水または大量雨水が効率良く、且つ無駄なく貯留タンクの取水口に流入しない欠点があった。【０００４】  また、「初期雨水排除装置」（特許文献３参照）や「雨水の自動貯水装置及び自動貯水方法」（特許文献４参照）等も従来より提案されている。係るこれらの技術は、貯留タンクの取水口が竪樋に対して斜め下方向に設けて取水効率を上げる構造を有し、吸水膨張材や浮子・止水栓を用いて初期雨水と通常雨水を分流する手段を採っているが、前者は吸水膨張材の乾燥復元性能に問題を残し、後者は浮子・止水栓などの可動部品の故障が懸念され、日常的に監視およびメンテナンス作業を行なわなければならない欠点があった。【０００５】  一方、家屋の屋根に降り注いだ雨水を有効に回収し、再利用する雨水貯水システムに関する提案は、「雨水利用システムのタンク」（特許文献５参照）が従来より提案されている。係る技術は、初期雨水と通常雨水を貯留タンクに一端貯めた後、初期雨水に含まれる砂塵や泥・ゴミなどをタンクの下部に設けられた排水ドレンから排出する手段を採っているが、貯留タンク内の清掃の頻度、排水ドレンの目詰まりなどが懸念されると同時に、構造が複雑なため設備および工事費用のコストが増大し、さらに既存の竪樋の垂直真下に貯留タンクを設置し、屈曲した長尺のオーバーフロー配管を貯留タンク内に設けているため、従来設けられていた下竪樋ならびに排水溝を移動しなければならないものであった。【０００６】  他方、現在一般的に普及されている雨水貯水システムの多くは、貯留タンクの集水配管とオーバーフロー配管が兼用されているもので、貯留タンクへ集水される雨水と貯留タンク内から排出される空気がぶつかり合いことで通常雨水または大量雨水の集水効率を妨げていた。【０００７】  以上のように、従来の初期雨水除去装置とそれを利用した雨水貯留システムの多くは、家屋の屋根に降り注いだ雨水の砂塵や泥・ゴミなどを含んだ初期雨水を除去すると同時に、通常雨水または大量雨水を効率良く、且つ無駄なく貯留タンクに貯留することができる簡単構造で構成される安価な提案はなかった。
【特許文献１】特許公開２００７−２３１７０９号公報
【特許文献２】特許公開２００１−１０７５２３号公報
【特許文献３】特許公開２００２−５４１８６号公報
【特許文献４】特許公開平８−１５８４１６号公報
【特許文献５】特許公開平９−２４２１２８号公報
【発明の開示】
【発明が解決しようとする課題】
【０００８】  本発明は、上記問題点に鑑み、家屋の屋根に降り注いだ雨水を初期雨水と通常雨水に分流する初期雨水除去装置と、さらに通常雨水ならびに大量雨水を効率良く、且つ無駄なく貯留タンクに貯留する簡単構造で構成される安価な雨水貯留システムの提供を目的とする。
【課題を解決するための手段】
【０００９】  前記目的を達成するため、本発明は、分流継手部材と、異径継手部材と、で組み合わされる初期雨水除去装置であって、前記分流継手部材は、水平横方向に貫通孔を設けたソケット継手部材と、取水口を上にしたエルボ継手とで形成され、前記異径継手部材は、インクリーザ形状の大径フランジ部には複数の初期雨水排水孔による初期雨水経路が設けられ、小径部軸方向中心には貫通した通常雨水経路を有し、前記分流継手部材に、小径部取水口を上にして前記異径継手部材を挿入することによって、初期雨水と通常雨水を確実に分流する構造を採る。【００１０】  また、本発明は、家屋の屋根に降り注いだ雨水を有効利用する雨水貯留システムおいて、濾網を具備する受樋に連結される上竪樋と、排水溝に導かれる下竪樋との中間に前記初期雨水除去装置を設け、該初期雨水除去装置内の通常雨水経路と、パイプと継手で形成される貯留タンクとを集水配管にて連結し、さらに該貯留タンクの上方一端に設けられたオーバーフロー配管を前記初期雨水除去装置の取り付け位置より下方の下竪樋に連結した雨水貯留システムの構成を採る。
【発明の効果】
【００１１】  本発明にかかる初期雨水除去装置によれば、以下のような優れた効果を発揮する。【００１２】  ソケット継手部材とエルボ継手から成る分流継手と、インクリーザ形状の異径継手部材とで組み合わされる簡単構造で構成されているにも関わらず、初期雨水と通常雨水とを確実に分流させることができる。【００１３】  また、上述の通り構造が簡単であるため、取り付け・取り外し・分解・組立が容易であり、目詰まりやメンテナンス作業を容易にする構造を有している上に既存の雨水貯留システムに対しても、本発明に係る初期雨水除去装置を後付けで追加することができる。【００１４】  さらに、エルボ継手の取水口が垂直上方向に向いて竪樋の口径に近い状態で通常雨水経路を確保すると共に取水口入り日付近に仕切り板や滞留壁等の堰き止め障害がないことから、通常雨水ならびに大量雨水を効率良く、且つ無駄なく貯留タンクに集水することができる。【００１５】  またさらに、既製品のインクリーザ形状の異径継手部材とソケット継手部材とエルボ継手等を使用したり、一体成型品として形成できるため、製造および商品コストを極めて低く抑えることができる。【００１６】  さらにまた、切り込み部の落埋よって初期雨水除去装置内の異径継手部材の小径部の垂直壁の高さを調節したり、初期雨水排水孔の数量を変えることができるため、降雨量と降雨期間が異なる地域毎の仕様に合わせた初期雨水除去装置を提供することができる。【００１７】  本発明にかかる初期雨水除去装置を利用した雨水貯留システムによれば、以下のような優れた効果を発揮する。【００１８】  集水配管とオーバーフロー配管が別個に配管されているため、貯留タンクへ集水される雨水と貯留タンク内から排出される空気がぶつかり合いことがなく、集水効率を向上させている。さらにオーバーフロー配管が下竪樋に連結されていることから排水溝に導かれる下竪樋の一本化が図られ、外観的にも簡素な構造とすることができる。【００１９】  また、初期雨水除去装置および貯留タンクを含むすべての主要構成部品が、機械的作動要素を含まない塩ビ樹脂製のパイプや継手等で構成することもできるため、トータルシステムコストが極めて安価な雨水貯留システムを提供することができる。【００２０】  さらに、長尺パイプを除く主要構成部品をキット梱包販売することで、在庫スペースの低減に繋がり、倉庫管理費や運送費等の流通コストの軽減を図ることができる。【００２１】  またさらに、地域によっては雨水貯留施設設置費の補助制度があり、最大で設置費用の三分の二が補助される制度を利用することでユーザーの設置費用の軽減を図ることができる。例えば、雨水貯留施設の設置費補助対象となる貯水槽容量１００ｌを本発明の雨水貯留システムの貯留タンク仕様で換算してみると、内径２５ｃｍ、長さ約２ｍの塩ビ管パイプを１基使用することによって実現できるもので、一般住宅の軒下の高さは、約２．７ｍであるため既設の雨樋の竪樋側面に補助対象の雨水貯留システムを経済的に設置できるものである。【００２２】  さらにまた、従来のボックスタイプの貯留タンクと異なり、貯留タンクが既製品の長尺パイプと異形フランジ継手と止栓継手から構成されているため、該長尺パイプを任意の長さに変更することにより増設が容易であり、また、貯留タンクをユーザーの目的とする容量や設置形状に連結することも可能である。従って、敷地および設置スペースが充分とれる場合や大量の雨水を確保したい場合にも対応可能となるだけでなく、アパートやマンションなどの集合住宅のベランダやバルコニーの床下等の狭い場所においても設置が可能となる。即ち、ユーザー毎の種々の住宅事情に応じたオーダーメイドの雨水貯留システムを提供することができる。【００２３】  そしてまた、貯留タンクは既製品のパイプと継手等の簡単構造で構成されているため、砂塵や泥・ゴミなどの沈殿物を定期的に清掃するメンテナンス作業を容易にするものである。
【発明を実施するための最良の形態】
【００２４】  本発明にかかる初期雨水除去装置とそれを利用した雨水貯留システムは、ソケット継手部材とエルボ継手とで形成される分流継手部材と、インクリーザ形状の異径継手部材とで組み合わされる初期雨水除去装置による構成と、濾網を具備する受樋に連結される上竪樋と、排水溝に導かれる下竪樋との中間に前記初期雨水除去装置を設け、該初期雨水除去装置内の通常雨水経路と、パイプと継手で形成される貯留タンクとを集水配管にて連結し、さらに該貯留タンクの上方一端に設けられたオーバーフロー配管を前記初期雨水除去装置の取り付け位置より下方の下竪樋に連結した雨水貯留システムを採ったことを最大の特徴とする。以下、本発明にかかる初期雨水除去装置とそれを利用した雨水貯留システムの実施形態を図面に基づいて説明する。【００２５】  図１は、本発明にかかる初期雨水除去装置１を示す説明図であり、図１（ａ）は初期雨水除去装置１の組み立て前の断面図を、図１（ｂ）は初期雨水除去装置１の組み立て後の断面図をそれぞれ示している。【００２６】  初期雨水除去装置１は、分流継手部材２と異径継手部材７から構成され、初期雨水経路１６と通常雨水経路１７を有する。【００２７】  図２は、初期雨水除去装置１の拡散分解図を示す説明図である。
分流継手部材２は、ソケット継手部材３と、取水口１２を上にしたエルボ継手６とで構成され、ソケット継手部材３には水平横方向に貫通孔４が設けられ、内径壁には図に示すような段差を有している。また、インクリーザ形状の大径フランジ部８に複数の初期雨水排水孔１３による初期雨水経路１６が設けられた異径継手部材７に、小径部取水口１１を上にして分流継手部材２に挿入されることによって、図１（ｂ）に示されるように初期雨水と通常雨水を分流する初期雨水経路１６と通常雨水経路１７が形成される構造を採るもので、商品の量産化に際しては一体成型品とすることもできる。【００２８】  また、初期雨水除去装置１は、前記ソケット継手部材３の内径壁の段差に、上竪樋２２及び下竪樋２３を嵌着等により夫々装着される。分流継手部材２と異径継手部材７の外径及び内径は特に限定されるものではないが、既存設備の利用の観点から、標準化された規格等（日本工業規格等）で定められる寸法とすることが望ましい。係る規格等に対応した寸法を採用した場合には、本発明に係る雨水貯留システムのみならず、既存の雨水貯留システムに対しても、本発明に係る初期雨水除去装置を後付けで追加することもできる。【００２９】  なお、エルボ継手６は、図に示すような９０度のエルボのみならず、角度の緩やかなベンド等としてもよい。【００３０】  異径継手部材７は、インクリーザ形状の異径継手の小径部軸方向中心に貫通した通常雨水経路１７の小径部取水口１１が上向きに開放されているため、通常雨水ならびに大量雨水が容易に流入して処理できる構造を有する。また、異径継手部材７には、大径フランジ部８に初期雨水排水孔１３が複数設けられ、さらに図３（ｂ）に示されるようにソケット継手部材３に異径継手部材７を挿入することにより生まれる小径部垂直壁９と大径フランジ部８と上竪樋２２の内壁部５で形成される滞留部１４は、初期雨水と通常雨水を分流するオーバーフロー槽の役割を果たす構造となり、切り込み部１０の落埋よって小径部１１の垂直壁９の高さを調節したり、初期雨水排水孔１３の数量を変えられる構造を有する。【００３１】  図３は、本発明にかかる初期雨水除去装置１の実施形態の説明図である。【００３２】  図３（ａ）は、晴天時の状態を示す説明図である。
濾網１５を具備する受樋２１に連結される上竪樋２２と下竪樋２３の中間に、横方向に貫通孔４が設けられたソケット継手部材３と取水口１２を上にしたエルボ継手６とで形成される分流継手部材２と、インクリーザ形状の異径継手部材７とで組み合わされる初期雨水除去装置１が設けられる。【００３３】  図３（ｂ）は、初期雨水降雨時の状態を示す説明図である。
家屋の屋根に降り注いだ初期雨水Ｒは、濾網１５を具備する受樋受樋２１から上竪樋２２の内壁を伝わってインクリーザ形状の異径継手部材７の小径部垂直壁９とフランジ部８と上竪樋２２の内壁部５で形成される滞留部１４内に溜まり、大径フランジ部８に設けられた初期雨水排水孔１３から図示される初期流水経路１６を経て下竪樋２３へ排水される。【００３４】  図３（ｃ）は、通常雨水降雨時の状態を示す説明図である。
家屋の屋根に降り注いだ通常雨水Ｒは、インクリーザ形状の異径継手部材７の小径部垂直壁９とフランジ部８と上竪樋２２の内壁部５で形成される滞留部１４をオーバーフローする雨水Ｒと、直接異径継手の小径部取水口１１から図示される通常流水経路１７を通る雨水Ｒが合流して貯留タンク２４に集水配管２６を通って配水される【００３５】  図３（ｄ）は、大量の雨水降雨時の状態を示す説明図である。
家屋の屋根に降り注いだ大量雨水Ｒの大部分は、インクリーザ形状の異径継手部材７の小径部取水口１１から直接、図示される通常流水経路１７を経て貯留タンク２４に集水配管２６を通って配水される【００３６】  図４は、初期雨水と通常雨水を分流する初期雨水除去装置１を利用した雨水貯留システムＵを示す説明図であり、図４（ａ）は本発明に係る貯留雨水システムが家屋に設置された状態を、図４（ｂ）は貯留タンク２４が満杯になったときのオーバーフロー流水経路３２をそれぞれ示している。【００３７】  詳しくは、家屋の屋根に降り注いだ雨水Ｒは、濾網１５を具備する受樋２１に連結される上竪樋２２と、排水溝Ｈに導かれる下竪樋２３の中間に設けられた初期雨水除去装置１の通常雨水経路１６を通り、さらに集水配管２６を通ってパイプ１８と継手１９で形成される貯留タンク２４に集水配管２６を通って貯留される。【００３８】  なおまた、図中に示される濾網１５は、受樋２１の形状によって形成されるものであって、寸法や形状、材質、メッシュは特に限定されるものではない。【００３９】  貯留タンク２４は、下方には排水バルブ２５が設けられ散水ホース等に接続し、家屋の側面に金具で固定されて立設される。また、物品の互換性確保の観点より標準化された規格等（日本工業規格等）で定められる寸法で成形される既製品のパイプ１８と、異形フランジ継手や止栓継手などの継手１９で構成されているため、取り付け・取り外しが容易な上、砂塵や泥・ごみ等の沈殿物を定期的に清掃するメンテナンス作業も容易に行える構造を有している。【００４０】  また、貯留タンク２４は、図４（ａ）で示すように、設置スペースが極めて小さいことから竪樋に添った形で設置することができるため、建物の美観を損なわない構造で建物の数箇所に設けられる竪樋毎に設置することができる構造を有する。さらに、仮想線で示すように、取付具や取付台を使用して家屋の基礎に沿って水平に設置する構造を採ることもできる。【００４１】  オーバーフロー水は、図４（ｂ）に示されるように、貯留タンク２４の上方一端に設けたオーバーフロー配管２０を通り、初期雨水除去装置１の取り付け位置より下方の下竪樋２３のオーバーフロー経路３２を通って排水溝Ｈに排水される。【００４２】  図５は、本発明にかかる雨水貯留システムＵの貯水タンク２４を垂直並列に複数連結した実施形態を示す説明図である。
詳しくは、家屋の屋根に降り注いだ雨水Ｒは、濾網１５を具備する受樋２１に連結される上竪樋２２と、排水溝Ｈに導かれる下竪樋２３の中間に設けられた初期雨水除去装置１の通常雨水経路１７に連結されるパイプ１８と継手１９で形成される貯留タンク２４に集水配管２６を通って貯留される。垂直並列に複数連結することによって敷地および設置スペースが充分とれる場合や、大量の雨水を確保したい場合に使用されるものである。降雨量と降雨期間が異なる地域別に貯留タンク２４をユーザーの要望に合わせて任意に増やして設置できる構造を有する。【００４３】  図６は、本発明にかかる雨水貯留システムＵの貯水タンク２４をＵ字管継手２８で水平直列に複数連結した実施形態を示す説明図である。
詳しくは、２階建ての家屋やアパート・マンションなどの集合住宅のベランダやバルコニーの屋根に降り注いだ雨水Ｒは、濾網１５を具備する受樋２１に連結される上竪樋２２と、排水溝Ｈに導かれる下竪樋２３の中間に設けられた初期雨水除去装置１の通常雨水経路１７に連結されるパイプ１８とＵ字管連結継手２８で形成される貯留タンク２４に集水配管２６を通って貯留される。水平直列に複数連結することによってベランダやバルコニーの床下に設置できる構造を有する。【００４４】  図７は、本発明にかかる雨水貯留システムＵの貯留タンク２４を水平直列に複数連結した。
詳しくは、家屋の屋根に降り注いだ雨水Ｒは、濾網１５を具備する受樋２１に連結される上竪樋２２と、排水溝Ｈに導かれる下竪樋２３の中間に設けられた初期雨水除去装置１の通常雨水経路１７に連結されるパイプ１８と継手１９で形成される貯留タンク２４に集水配管２６を通って貯留される。水平直列に複数連結することによって庭園や敷地内を取り囲むようにして設置できる構造を有する。【００４５】  図８は、本発明にかかる貯留タンク２４を用いた別の実施形態を示す説明図である。
非常災害用貯留タンク２７は、パイプ１８の両端を異形フランジ継手や止栓継手などの継手１９で構成した簡単構造であって、従来の水道水の給水圧力に耐える頑丈な構造や置き水の役割を果たす程度のタンク構造ではなく、樹脂製の軽量タンクであることから野外に容易に持ち出すことができると共に、日常的に使用することによってタンク内の水の入れ替えが不要な非常災害用貯留タンク２７とすることができる。【００４６】  詳しくは、パイプ１８の下方に水道水蛇口２９と連結される取水バルブ口３０を設け、異形フランジ継手の上方には配水オーバーフロー口３２を備え、さらにパイプ１８の下方には、止栓継手等の継手１９で止栓して形成された非常災害用貯留タンク２７としたものである。通常は、水道水蛇口２９に直結して使用し、開閉操作を行う。水道水は常に貯留タンク内でオーバーフローされて満杯状態で維持されるため、断水時は給水ホースを外し、前記取水バルブ３０を給水バルブ３４として使用することで非常災害用貯留タンク２７として利用できるものである。
【産業上の利用可能性】
【００４７】  本発明にかかる貯留タンクは、雨水貯留システムに使用されるのみならず、洗浄液貯留タンク、廃油貯留タンク、廃棄物貯留タンク、農薬肥料貯留タンク、散水貯留タンクとして利用することができるものであり、さらに図８に示すように、非常災害用貯留タンクとしても簡単に組み立てて利用することができるもので、その応用範囲は極めて広いものと考えられる。従って、本発明にかかる貯留タンクの産業上利用可能性は極めて高いものと解される。
【図面の簡単な説明】
【００４８】
【図１】本発明にかかる初期雨水除去装置を示す説明図である。
【図２】本発明にかかる初期雨水除去装置を示す説明図である。
【図３】本発明にかかる初期雨水除去装置の実施形態の説明図である。
【図４】本発明にかかる雨水貯留システムを示す説明図である。
【図５】本発明にかかる雨水貯留システムの別の実施形態を示す説明図である。
【図６】本発明にかかる雨水貯留システムの別の実施形態を示す説明図である。
【図７】本発明にかかる雨水貯留システムの別の実施形態を示す説明図である。
【図８】本発明にかかる貯留タンクを用いた別の実施形態を示す説明図である。
【符号の説明】
【００４９】  １    初期雨水除去装置
２    分流継手部材
３    ソケット継手部材
４    貫通孔
５    内壁部
６    エルボ継手
７    異径継手部材
８    大径フランジ部
９    小径部垂直壁
１０    切り込み部
１１    小径部取水口
１２    取水口
１３    初期雨水排水孔
１４    滞留部
１５    濾網
１６    初期雨水経路
１７    通常雨水経路
１８    パイプ
１９    継手
２０    オーバーフロー配管
２１    受樋
２２    上竪樋
２３    下竪樋
２４    貯留タンク
２５    排水バルブ
２６    集水配管
２７    非常災害用貯留タンク
２８    Ｕ字管継手
２９    水道水蛇口
３０    取水バルブ口
３１    配水オーバーフロー口
３２    オーバーフロー流水経路
３３    分岐点
３４    給水バルブ口
Ｕ      雨水貯留システム
Ｈ      排水溝
Ｒ      雨水
【図１】
2009121217.tif 000003
【図２】
2009121217.tif 000004
【図３】
2009121217.tif 000005
【図３】
2009121217.tif 000006
【図４】
2009121217.tif 000007
【図５】
2009121217.tif 000008
【図６】
2009121217.tif 000009
【図７】
2009121217.tif 000010
【図８】
2009121217.tif 000011
【手続補正書】
【提出日】平成20年2月26日(2008.2.26)
【手続補正１】
【補正対象書類名】図面
【補正対象項目名】図３
【補正方法】変更
【補正の内容】
【図３】
2009121217.tif 000012
【手続補正２】
【補正対象書類名】図面
【補正対象項目名】図４
【補正方法】変更
【補正の内容】
【図４】
2009121217.tif 000013